(57)【特許請求の範囲】
【請求項１】
中空の管体であって、中央の位置に貫通孔を穿設した仕切り板を内部に設けるとともに、底端において仕切り板の貫通孔に連通し、かつ上端を液体通過口とする収納溝を形成したシリンダと、
該液体通過口を覆う蓋体と、該貫通孔を貫通して該蓋体に接続する逆流防止桿とを具え、該収納溝に設けられて上下に往復運動を行い、上方に移動して該液体通過口を開放し、下方に移動して該液体通過口を閉鎖する逆流防止桿と、
一端に該シリンダの内壁に当接するピストン部を設けた中空の管体であって、該シリンダに摺動自在に内設したピストン桿と、
該ピストン桿の上端から挿通させて該ピストン桿に弾力を付与するための弾性体と、
該シリンダが貫通する開口部を上端に形成し、内周面を液体容器に螺合する容器キャップと、
該シリンダに内設する中空の管体であって、外周囲面には該シリンダの該係合部に係合する外方向に突起した凸起部を形成するとともに、該ピストン桿を内部に挿通させる固定蓋体と、
該固定蓋体に挿通させる中空の管体であって、該固定蓋体に挿通して該シリンダに接続し、かつ連通するとともに、内壁が中心部に向かってせりだして内部当接部を形成し、該内部当接部に該弾性体と該ピストン桿とが当接する上部押し圧管と、
壁面に液体出口を穿設し、下端に該シリンダに連通するガイド管を形成してなり、該上部押し圧管に挿通されて連通する中空のピストンと、
該上部押し圧管に接続して連通するとともに、外方向に延伸するノズルを具え、かつ下端に接続管を設けてなり、該ピストンを内設する中空の押し圧ヘッド部と、を具えてなることを特徴とするスプレー装置。
【請求項２】
前記シリンダの一端を係合端とし、かつ他端を吸入端とし、該係合端の外周面に係合部を形成するとともに、該係合部に近接した位置に鍔部を一体に形成し、該吸入端の口径を該シリンダの口径より狭くすることを特徴とする請求項１に記載のスプレー装置。
【請求項３】
前記逆流防止桿が、間隔を置き、かつ複数の弾性体を介して設けられる第１桿体と第２桿体とによってなることを特徴とする請求項１に記載のスプレー装置。
【請求項４】
前記複数の弾性体が、円形か、くの字状か、半円形か、もしくは方形の内の任意の一つから選択されることを特徴とする請求項３に記載のスプレー装置。
【請求項５】
前記第２桿体の一端には、テーパー部を形成し、該第２桿体の一端が該仕切板の貫通孔に係合することを特徴とする請求項３に記載のスプレー装置。
【請求項６】
前記ピストン桿の外周面であって該ピストン部に近接した位置に下端段差部を形成するとともに、該ピストン桿の他端の外周面に、該上部押し圧管の内部当接部が当接する上端段差部を形成し、
前記固定蓋体は、上端の開口部を液体出口とし、下端の開口部を液体入口とするとともに、該液体入口の内周面に、該下端段差部が当接する位置制限段差部を形成することを特徴とする請求項１に記載のスプレー装置。
【請求項７】
前記固定蓋体の内周面で該液体入口に近接した位置に螺刻してねじ山を形成し、かつ該上部押し圧管の下端の内周面に螺刻して、該固定蓋体の該ねじ山に螺合するねじ山を形成することを特徴とする請求項１に記載のスプレー装置。
【請求項８】
前記上部押し圧管の上端外周面に第１環状係合突起部を形成し、かつ該第１環状係合突起に係合する第２環状係合突起を該接続管の内壁に形成することを特徴とする請求項１に記載のスプレー装置。
【請求項９】
前記ピストン部と該ピストン桿とが一体に形成されることを特徴とする請求項１に記載のスプレー装置。
【請求項１０】
前記ピストン部が該ピストン桿の一端に係合して設けられることを特徴とする請求項１に記載のスプレー装置。
【請求項１１】
前記固定蓋体の該液体出口の外周面には、急勾配が形成された防水部を形成することを特徴とする請求項１に記載のスプレー装置。
【発明の詳細な説明】
【技術分野】
【０００１】
この発明はスプレー装置に関し、特に液体を収納した容器である瓶の口に取り付けるスプレー装置に関する。
【背景技術】
【０００２】
目下市販されている液体形態の商品は容器に詰めて販売されている。その容器のほとんどがスプレー装置を設けてなり、該スプレー装置を押し圧し、圧力を変化させて容器内の液体を吐出させる。係るスプレー装置は、操作が容易であって、かつ一定の量を吐出させることができるという長所を具える。このため、液体を収納した容器から内容物を吐出させるための手段として広く応用されており、その応用範囲はシャンプー、ボディソープなどから、台所で使用する食器洗浄用の洗剤、浴室やトイレ用の洗剤などが含まれる。即ち、スプレー装置は幅広く応用され、適用される製品も多様化していて、目下斯業においてかなり広く利用される技術の一つとなっている。
【０００３】
上述するスプレー装置の構造と、その形態は、技術の発展に伴い研究開発が進められ、多くの修正がなされてきた。然しながら、多くの修正、変更がなされ改善されてきたといえども、従来のスプレー装置には今日なおも問題があり、改善すべき欠点が見られる。
【０００４】
図１は従来のスプレー装置の構造を示した断面図である。図面に開示するように、スプレー装置２００は、噴霧ヘッド２０１を具える。一般に、噴霧ヘッド２０１はスプレー装置２００が他の物体に衝突した場合、もしくは噴霧ヘッド２０１が予期せず押された場合に収納した液体が外部に漏れることを防ぐために、予め下方に押し圧して容器本体２０２に緊密に螺着された状態にする。然しながら、噴霧ヘッド２０１が下方に押し圧された状態を保っているため。スプレー装置２００内のピストン２０３が開放し、液体通路２０４が開放状態となる。このため、運搬する過程において予期せず傾斜した場合は、容器本体２０２に収納した液体が液体通路２０４か、もしくはその他の隙間から滲み出る。
【０００５】
また、従来のスプレー装置には防水機能が具わっていない。このため、外部から水分が隙間を伝わって進入し、容器内の液体を変質させる。さらに、噴霧ヘッドを押した後、ノズル内に若干の液体が残留する。残留した液体は、ノズルからゆっくり流出し、引力によって滴り落ちる。但し、従来のスプレー装置には、ノズルに残留した液体を吸入して戻す機能を具えてない。これらは、いずれも従来のスプレー装置に見られる欠点である。
【発明の概要】
【発明が解決しようとする課題】
【０００６】
この発明は、噴霧ヘッドを押し圧した状態において、容器の内容物である液体が漏れることのないスプレー装置を提供することを課題とする。
【０００７】
また、この発明は、吐出されずにノズルに残留した液体を回収し、外部に滴り落ちることを効率よく防ぐことのできるスプレー装置を提供することを課題とする。
【０００８】
また、この発明は、外部から容器内に水分の流入しないスプレー装置を提供することを課題とする。
【課題を解決するための手段】
【０００９】
そこで、本発明者は従来のスプレー装置に見られる欠点に鑑み鋭意研究を重ねた結果、中空の管体であって、中央の位置に貫通孔を穿設した仕切り板を内部に設け、底端において仕切り板の貫通孔に連通し、かつ上端を液体通過口とする収納溝を形成したシリンダと、該液体通過口を覆う蓋体と該貫通孔を貫通して該蓋体に接続する逆流防止桿とを具え、該収納溝に設けられて上下に往復運動を行い、該液体通過口を開閉する逆流防止桿と、一端に該シリンダの内壁に当接するピストン部を形成した中空の管体であって該シリンダに摺動自在に内設したピストン桿と、該ピストン桿を挿通させる弾性体と、該シリンダが貫通する開口部を形成した容器キャップと、該シリンダに内設する中空の管体であって該ピストン桿を内部に挿通させる固定蓋体と、該固定蓋体に挿通させるとともに、該シリンダに接続して連通する中空の管体であって、かつ内壁に該弾性体と該ピストン桿とが当接する内部当接部を形成した上部押し圧管と、壁面に液体出口を穿設し下端に該シリンダに連通するガイド管を形成してなり該上部押し圧管に挿通されて連通する中空のピストンと、及び該上部押し圧管に接続して連通するとともにノズルを具え、かつ下端に接続管を設けてなり、該ピストンを内設する中空の押し圧ヘッド部と、を具えてなるスプレー装置によって課題を解決できる点に着眼し、係る知見に基づいて本発明を完成させた。以下この発明について説明する。
【００１０】
請求項１に記載するスプレー装置は、中空の管体であって、中央の位置に貫通孔を穿設した仕切り板を内部に設けるとともに、底端において仕切り板の貫通孔に連通し、かつ上端を液体通過口とする収納溝を形成したシリンダと、
該液体通過口を覆う蓋体と、該貫通孔を貫通して該蓋体に接続する逆流防止桿とを具え、該収納溝に設けられて上下に往復運動を行い、上方に移動して該液体通過口を開放し、下方に移動して該液体通過口を閉鎖する逆流防止桿と、
一端に該シリンダの内壁に当接するピストン部を設けた中空の管体であって、該シリンダに摺動自在に内設したピストン桿と、
該ピストン桿の上端から挿通させて該ピストン桿に弾力を付与するための弾性体と、
該シリンダが貫通する開口部を上端に形成し、内周面を液体容器に螺合する容器キャップと、
該シリンダに内設する中空の管体であって、外周囲面には該シリンダの該係合部に係合する外方向に突起した凸起部を形成するとともに、該ピストン桿を内部に挿通させる固定蓋体と、
該固定蓋体に挿通させる中空の管体であって、該固定蓋体に挿通して該シリンダに接続し、かつ連通するとともに、内壁が中心部に向かってせりだして内部当接部を形成し、該内部当接部に該弾性体と該ピストン桿とが当接する上部押し圧管と、
壁面に液体出口を穿設し、下端に該シリンダに連通するガイド管を形成してなり、該上部押し圧管に挿通されて連通する中空のピストンと、
該上部押し圧管に接続して連通するとともに、外方向に延伸するノズルを具え、かつ下端に接続管を設けてなり、該ピストンを内設する中空の押し圧ヘッド部と、を具えてなる。
【００１１】
請求項２に記載するスプレー装置は、請求項１におけるシリンダの一端を係合端とし、かつ他端を吸入端とし、該係合端の外周面に係合部を形成するとともに、該係合部に近接した位置に鍔部を一体に形成し、該吸入端の口径を該シリンダの口径より狭くする。
【００１３】
請求項３に記載するスプレー装置は、請求項１における逆流防止桿が、間隔を置き、かつ複数の弾性体を介して設けられる第１桿体と第２桿体とによってなる。
【００１４】
請求項４に記載するスプレー装置は、請求項３における複数の弾性体が、円形か、くの字状か、半円形か、もしくは方形の内の任意の一つから選択される。
【００１５】
請求項５に記載するスプレー装置は、請求項３における第２桿体の一端には、テーパー部を形成し、該第２桿体の一端が該仕切板の貫通孔に係合する。
【００１６】
請求項６に記載するスプレー装置は、請求項１におけるピストン桿の外周面であって該ピストン部に近接した位置に下端段差部を形成するとともに、該ピストン桿の他端の外周面に、該上部押し圧管の内部当接部が当接する上端段差部を形成し、
前記固定蓋体は、上端の開口部を液体出口とし、下端の開口部を液体入口とするとともに、該液体入口の内周面に、該下端段差部が当接する位置制限段差部を形成する。
【００１９】
請求項７に記載するスプレー装置は、請求項１における固定蓋体の内周面で該液体入口に近接した位置に螺刻してねじ山を形成し、かつ該上部押し圧管の下端の内周面に螺刻して、該固定蓋体の該ねじ山に螺合するねじ山を形成する。
【００２１】
請求項８に記載するスプレー装置は、請求項１における上部押し圧管の上端外周面に第１環状係合突起を形成し、かつ該第１環状係合突起に係合する第２環状係合突起を該接続管の内壁に形成する。
【００２２】
請求項９に記載するスプレー装置は、請求項１におけるピストン部と該ピストン桿とが一体に形成される。
【００２３】
請求項１０に記載するスプレー装置は、請求項１におけるピストン部が該ピストン桿の一端に係合して設けられる。
【００２４】
請求項１１に記載するスプレー装置は、請求項１における固定蓋体の該液体出口の外周面には、急勾配が形成された防水部を形成する。
【図面の簡単な説明】
【００２５】
【図１】従来のスプレー装置の断面構造を示した説明図である。
【図２Ａ】この発明によるスプレー装置の分解図である。
【図２Ｂ】図２Ａに開示するスプレー装置の部材の断面構造を示した説明図である。
【図３】図２Ａに開示するスプレー装置の斜視図である。
【図４Ａ】この発明によるスプレー装置の動作を示した説明図である。
【図４Ｂ】この発明によるスプレー装置の動作を示した他の説明図である。
【図４Ｃ】この発明によるスプレー装置の動作を示したその他説明図である。
【図５】この発明によるスプレー装置の他の動作を示した説明図である。
【図６Ａ】他の実施の形態によるスプレー装置の構造を示した説明図である。
【図６Ｂ】その他の実施の形態によるスプレー装置の構造を示した説明図である。
【図６Ｃ】別の実施の形態によるスプレー装置の構造を示した説明図である。
【図７】また別の実施の形態によるスプレー装置の断面構造を示した説明図である。
【発明を実施するための形態】
【００２６】
この発明は、噴霧ヘッドを押し圧した状態において、容器の内容物である液体が漏れることがなく、また吐出されずにノズルに残留した液体を回収し、外部に滴り落ちることを防ぎ、かつ外部から容器内に水分の流入しないスプレー装置を提供するものであって、中空の管体であって、中央の位置に貫通孔を穿設した仕切り板を内部設け、底端において仕切り板の貫通孔に連通し、かつ上端を液体通過口とする収納溝を形成したシリンダと、該液体通過口を覆う蓋体と該貫通孔を貫通して該蓋体に接続する逆流防止桿とを具え、該収納溝に設けられて上下に往復運動を行い、該液体通過口を開閉する逆流防止桿と、一端に該シリンダの内壁に当接するピストン部を形成した中空の管体であって該シリンダに摺動自在に内設したピストン桿と、該ピストン桿を挿通させる弾性体と、該シリンダが貫通する開口部を形成した容器キャップと、該シリンダに内設する中空の管体であって該ピストン桿を内部に挿通させる固定蓋体と、該固定蓋体に挿通させるとともに、該シリンダに接続して連通する中空の管体であって、かつ内壁に該弾性体と該ピストン桿とが当接する内部当接部を形成した上部押し圧管と、壁面に液体出口を穿設し下端に該シリンダに連通するガイド管を形成してなり該上部押し圧管に挿通されて連通する中空のピストンと、及び該上部押し圧管に接続して連通するとともにノズルを具え、かつ下端に接続管を設けてなり、該ピストンを内設する中空の押し圧ヘッド部と、を具えてなる。係るスプレー装置の構造と特徴を詳述するために具体的な実施例を挙げ、図面を参照にして以下に説明する。
【実施例１】
【００２７】
図２Ａ、２Ｂに開示するように、この発明によるスプレー装置は、シリンダ１を具えてなり、シリンダ１は管体であって、一端を係合端１１とし、他端を吸入端１２とする。実施例において、吸入端１２の口径はシリンダ１より狭くする。係合端１１の外周面には係合部１３を形成し、かつ係合部１３に近接した位置に鍔部１４を一体に形成する。吸入端１２内部には仕切り板１５を設ける。仕切り板１５の中央の位置には貫通孔１５１を穿設する。
【００２８】
シリンダ１の内部には、底端において仕切り板１５の貫通孔１５１に連通し、かつ上端を液体通過口１７とする収納溝１６を形成するとともに、収納溝１６には逆流防止桿２を設ける。逆流防止桿２は蓋体２１を具える。実施例において蓋体２１は円形を呈し、かつ収納溝１６の上端の液体通過口１７上を覆い、上下に往復運動を行って、上方に移動すると液体通過口１７を開放し、下方に移動すると閉鎖する。
【００２９】
蓋体２１は、底面において逆流防止桿２２に接続する。逆流防止桿２２は、間隔を置き、複数の弾性体２２３を介して設けられる第１桿体２２１と第２桿体２２２とによってなる。弾性体２２３は弾性によって蓋体２１を引き付けて、蓋体２１が液体通過口１７から外れないようにする作用を有する。実施例において弾性体２２３は円形を呈する。
【００３０】
第２桿体２２２は貫通孔１５１を貫通する。また。第２桿体２２２の一端にはテーパー部２２４を形成する。このため第２桿体２２２の一端は貫通孔１５１を貫通し、テーパー部２２４によって制限を受ける。よって貫通孔１５１から外れることがない。
【００３１】
シリンダ１にはピストン桿３を摺動自在に内設する。ピストン桿３は中空の管体であって、一端にピストン部３１を形成する。実施例においては、ピストン桿３とピストン部３１とは一体に形成する。ピストン部３１はシリンダ１の内壁に当接する。
【００３２】
また、ピストン桿３の外周面であってピストン部３１に近接した位置には、下端段差部３２を形成するとともに、ピストン桿３の他端には、外周面に上端段差部３３を形成する。さらに、ピストン桿３には上端から弾性体３４を挿通させる。弾性体３４は、弾性によってピストン桿３を元の位置に復帰させる作用を有する。
【００３３】
図２Ａ、２Ｂに開示するように、シリンダ１は上端から容器キャップ４を貫通する。容器キャップ４には開口部４１が形成され、かつ内周面には螺刻してねじ山４２を形成する。容器キャップ４は、ねじ山４２を液体容器である瓶の口部（図示しない）外周面に形成されたねじ山に螺合させて取り付ける。また、容器キャップ４の下端は鍔部１４に当止する。
【００３４】
容器キャップ４は固定蓋体５に接続する。固定蓋体５は中空の管体であって、ピストン桿３が内部を貫通し、かつ下端がシリンダ１の係合端１１内に係合する。
【００３５】
固定蓋体５は上端の開口部を液体出口５１とし、下端の開口部を液体入口５２とする。液体入口５２の内周面には位置制限段差部５３を形成する。固定蓋体５にはピストン桿３を挿通させて、位置制限段差部５３がピストン桿３の下端段差部３２に当止する。また、固定蓋体５の内周面で液体入口５２に近接した位置に螺刻してねじ山５４を形成する。
【００３６】
また、固定蓋体５の外周囲面には外方向に突起する凸起部５５を形成し、凸起部５５がシリンダ１の係合部１３に係合する。
【００３７】
固定蓋体５の液体出口５１の外周面には、付け根が高く外方向に急勾配を形成する傾斜角度具えた防水部５６を形成する。防水部５６は急勾配を有する傾斜角度を具える。このため外部から水がシリンダ１に流入することを防ぎ、スプレー装置に防水の効果を具えさせることになる。
【００３８】
固定蓋体５には上方から上部押し圧管６を挿通させる。上部押し圧管６は中空の管体であって、下端は固定蓋体５の液体出口５１を通過してシリンダ１に接続し、シリンダ１に連通して液体通路を形成する。
【００３９】
また、上部押し圧管６は内壁が中心部に向かってせりだし、内部当接部６１を形成する。内部当接部６１には、弾性体３４とピストン桿３の上端段差部３３とが当接する。さらに、上部押し圧管６の下端には、内周面に螺刻して、固定蓋体５のねじ山５４に螺合するねじ山６２を形成する。また、上部押し圧管６の上端外周面には第１環状係合突起６３を形成する。
【００４０】
上部押し圧管６にはピストン７を挿通させる。ピストン７は中空であって、上部押し圧管６に連通する。ピストン７は壁面に液体出口７１を穿設する。また、ピストン７の下端には、シリンダ１に連通するガイド管７２を形成する。
【００４１】
また、上部押し圧管６は押し圧ヘッド部８に接続して連通する。押し圧ヘッド部８は中空であって、外方向に延伸するノズル８１を具える。また押し圧ヘッド部８は下端に接続管８２を具える。接続管８２は内周面に、上部押し圧管６の第１環状係合突起６３に係合する第２環状係合突起８３を形成し、ピストン７は上端から押し圧ヘッド部８内に設けられる。
【００４２】
この発明によるスプレー装置の構造は上述のとおりであって、組み立てた後の外観は図３に開示するとおりである。
【００４３】
図４Ａから図４Ｃに、この発明によるスプレー装置の動作を開示する。図４Ａに開示するように押し圧ヘッド部８を押し圧すると、上部押し圧管６がＳ１の範囲の分だけ下方に移動する。同時にピストン桿３のピストン部３１がシリンダ１の内壁との圧力によって停止する。この状態において、押し圧ヘッド部８が下方に移動してピストン７の液体出口７１が徐々にノズル８１に連通する。
【００４４】
押し圧ヘッド部８がＳ１の範囲の分だけ下方に移動してピストン７の上端に当接すると、液体出口７１とノズル８１の内部空間に完全に合わさる。この場合、逆流防止桿２の蓋体２１が下方に移動して液体通過口１７を閉鎖する。
【００４５】
図４Ｂに開示するように、さらに押し圧ヘッド部８を押し圧してＳ２の範囲の分だけ下方に移動させると、押し圧ヘッド部８が上部押し圧管６を連動させて弾性体３４が圧迫される。次いで上部押し圧管６のねじ山６２が固定蓋体５のねじ山５４に当接すると、シリンダ１内の空気はピストン桿３のピストン部３１がシリンダ１内の空間を圧迫することでノズル８１から吐出されるとともに、空気に運ばれた液体もノズル８１から吐出される。
【００４６】
図４Ｃに開示するように、押し圧ヘッド部８が元の位置に復帰する場合、上部押し圧管６は弾性体３４の付勢力によって上方に押し上げられ、ピストン桿３のピストン部３１がシリンダ１の内壁との摩擦によって停止し、押し圧ヘッド部８と上部押し圧管６が継続して上方に移動する。次いで上部押し圧管６の内部当接部６１がピストン桿３の上端段差部３３に当接し、ピストン桿３が連動して上方に移動する。同時に、上部押し圧管６がピストン７の液体出口７１を閉鎖する。
【００４７】
最後にピストン桿３の下端段差部３２が固定蓋体５の位置制限段差部５３に当止して、上方への移動が停止して押し圧ヘッド部８が元の位置に復帰する。この場合、同時にシリンダ１の内部空間が拡張する。よって、液体は圧力の関係で貫通孔１５１から収納溝１６に流れ、蓋体２１が開放し、徐々に液体通過口１７を開放する。液体は逆流防止桿２を通過してシリンダ１に進入し、次のポンプの動作に備える。
【００４８】
また、押し圧ヘッド部８が元の位置に復帰する場合、液体出口７１が徐々に閉鎖し、押し圧ヘッド部８の内部空間の圧力が徐々に増大する。このため真空吸引力が発生し、ノズル８１内に残留する液体を回収する作用が発生する。したがって、ノズル８１内に液体が残留して外部に滴り落ちることを防ぐことができる。
【００４９】
図５に、この発明によるスプレー装置の他の操作と、その動作を開示する。即ち、この発明によるスプレー装置は、押し圧ヘッド部８を固定し、液体漏れ、液体の外部への流出を防止する機能を具える。図面に開示するように、押し圧ヘッド部８を押し圧し、Ｓ１、Ｓ２の範囲を通過させた後、押し圧ヘッド部８を時計回りの方向に沿って回転させると、Ｓ３の範囲に至る。この場合、上部押し圧管６のねじ山６２が固定蓋体５のねじ山５４に螺合して締結された状態になる。また、逆流防止桿２がピストン桿３によって押し圧され、シリンダ１の収納溝１６が弾性体２２３の変形によって閉鎖し密閉された状態となる。よって、液体の洩れることを防止する。
【００５０】
図６Ａから図６Ｃに、他の実施の形態によるスプレー装置を開示する。図面に開示するように、逆流防止桿２の弾性体２２３は、上述する円形以外であってもよい。図６Ａにおいては、弾性体２２３は、くの字状を呈し、図６Ｂにおいては半円形状を呈する。また、図６Ｃにおいては方形を呈する。
【００５１】
また、図７にその他実施の形態を開示する。図面に開示するように、ピストン桿３の一端のピストン部３１とピストン桿３とを一体に形成する以外に、ピストン部３１をピストン桿３の一端に係合させる形態としてもよい。
【００５２】
以上はこの発明の好ましい実施の形態であって、この発明の実施の範囲を限定するものではない。よって、当業者のなしえる変更、もしくは修正であって、この発明の精神の下においてなされ、かつこの発明に対して均等の効果を有するものは、いずれもこの発明の特許請求の範囲に属するものとする。
【符号の説明】
【００５３】
１       シリンダ
１１     係合端
１２     吸入端
１３     係合部
１４     鍔部
１５     仕切り板
１５１   貫通孔
１６     収納溝
１７     液体通過口
２       逆流防止桿
２００   スプレー装置
２０１   噴霧ヘッド
２０２   容器本体
２０３   ピストン
２０４   液体通路
２１     蓋体
２２     逆流防止桿
２２１   第１桿体
２２２   第２桿体
２２３   弾性体
２２４   テーパー部
３       ピストン桿
３１     ピストン部
３２     下端段差部
３３     上端段差部
３４     弾性体
４       容器キャップ
４１     開口部
４２     ねじ山
５       固定蓋体
５１     液体出口
５２     液体入口
５３     位置制限段差部
５４     ねじ山
５５     凸起部 
５６     防水部
６       上部押し圧管
６１     内部当接部
６２     ねじ山
６３     第１環状係合突起
７       ピストン
７１     液体出口
７２     ガイド管
８       押し圧ヘッド部
８１     ノズル
８２     接続管
８３     第２環状係合突起
【図１】
0005995893.tif 000002
【図２Ａ】
0005995893.tif 000003
【図２Ｂ】
0005995893.tif 000004
【図３】
0005995893.tif 000005
【図４Ａ】
0005995893.tif 000006
【図４Ｂ】
0005995893.tif 000007
【図４Ｃ】
0005995893.tif 000008
【図５】
0005995893.tif 000009
【図６Ａ】
0005995893.tif 000010
【図６Ｂ】
0005995893.tif 000011
【図６Ｃ】
0005995893.tif 000012
【図７】
0005995893.tif 000013